(57)【要約】【課題】  出力されるテレビジョン信号のレベルを一定にすると共に、その一定値を越えた場合や、所定レベル以下のときに出力レベルを最小限に低下して上記の歪み発生を防ぎ、また、受信側での画像を均一性を確保する【解決手段】  中間周波信号を一定レベルで出力する自動利得制御回路２２又は／及び出力されるテレビジョン信号のレベルを設定する減衰回路３２をミュート状態又はミュート解除状態に切り替えるためのミュート制御手段３７を設け、出力端子におけるテレビジョン信号のレベルが第１の所定レベルよりも高い第１のレベル以上になったときにミュート制御手段３７からミュート信号を発生して自動利得制御回路２２又は／及び減衰回路３２をミュート状態に切り替えた。【選択図】        図１
2005303421.tif 000002
【特許請求の範囲】
【請求項１】
入力された中間周波信号を一定レベルで出力する自動利得制御回路と、前記自動利得制御回路の後段に設けられ、前記中間周波信号を送信用のテレビジョン信号に変換する周波数変換回路と、前記周波数変換回路と出力端子との間に設けられ、前記出力端子に出力する前記テレビジョン信号のレベルを第１の所定レベルに設定する減衰回路とを備え、前記自動利得制御回路又は／及び前記減衰回路をミュート状態又はミュート解除状態に切り替えるためのミュート制御手段を設け、前記出力端子における前記テレビジョン信号のレベルが前記第１の所定レベルよりも高い第１のレベル以上になったときに前記ミュート制御手段からミュート信号を発生して前記自動利得制御回路又は／及び前記減衰回路をミュート状態に切り替えたことを特徴とするテレビジョン信号送信機。
【請求項２】
前記出力端子における前記テレビジョン信号が前記第１の所定レベルよりも低い第２のレベル以下になったときに前記ミュート制御手段から前記ミュート信号を発生して前記自動利得制御回路又は／及び前記減衰回路をミュート状態に切り替えたことを特徴とする請求項１に記載のテレビジョン信号送信機。
【請求項３】
前記自動利得制御回路に入力される前記中間周波信号のレベルが第２の所定レベルより高い第３のレベル以上になったときに前記ミュート制御手段から前記ミュート信号を発生して前記自動利得制御回路又は／及び前記減衰回路をミュート状態に切り替えたことを特徴とする請求項１又は２に記載のテレビジョン信号送信機。
【請求項４】
前記自動利得制御回路に入力される前記中間周波信号のレベルが前記第２の所定レベルより低い第４のレベル以下になったときに、前記ミュート制御手段から前記ミュート信号を発生して前記自動利得制御回路又は／及び前記減衰回路をミュート状態に切り替えたことを特徴とする請求項１乃至３の何れかに記載のテレビジョン信号送信機。
【請求項５】
前記自動利得制御回路又は／及び前記減衰回路のミュート状態を前記出力端子における前記テレビジョン信号のレベル変動の如何に関わらず保持したことを特徴とする請求項１乃至４の何れかに記載のテレビジョン信号送信機。
【請求項６】
前記自動利得制御回路又は／及び前記減衰回路のミュート状態を前記自動利得制御回路に入力される前記中間周波信号のレベル変動の如何に関わらず保持したことを特徴とする請求項１乃至５の何れかに記載のテレビジョン信号送信機。
【請求項７】
前記ミュート制御手段は外部からミュート解除指令信号が入力されたときにミュート解除信号を出力し、前記ミュート解除信号によってのみ前記自動利得制御回路又は／及び前記減衰回路のミュート状態をミュート解除状態に切り替えたことを特徴とする請求項１乃至６の何れかに記載のテレビジョン信号送信機。
【発明の詳細な説明】
【技術分野】
【０００１】
本発明は、ＣＡＴＶ（ケーブルテレビ）システム等に使用されるテレビジョン信号送信機に関する。
【背景技術】
【０００２】
図２を参照して従来のテレビジョン信号送信機を説明する。中間周波回路１からは映像信号を含む第一の中間周波信号が出力される。第一の中間周波信号はは、減衰回路２を介して第一の混合回路３に入力され、この第一の混合回路３において、第一の局部発振回路４からの発振信号と混合されることによってほぼ１．１ＧＨｚの第二の中間周波信号に周波数変換される。第一の混合回路３と第一の局部発振回路４とによって第一の周波数変換回路５を構成している。なお、減衰回路２は、可変減衰回路で構成される。
【０００３】
第一の混合回路３からの第二の中間周波信号は、バンドパスフィルタ６を通過した後に第二中間周波増幅回路７で所定のレベルに増幅され、第二の混合回路８に入力され、この第二の混合回路８において第二の局部発振回路９からの発振信号と混合されて第三の中間周波信号に周波数変換される。第二の混合回路８と第二の局部発振回路９とによって第二段目の周波数変換回路である第二の周波数変換回路１０を構成している。
【０００４】
なお、第三の中間周波信号は、テレビジョン信号として図示しないケ−ブルを介してＣＡＴＶシステムの加入者に送信されるが、その周波数は、送信する番組毎に異なり、ほぼ５０ＭＨｚから１ＧＨｚまでの間に設定されている各チャンネルの周波数のいずれかに合わせるように第二の局部発振回路９の発振周波数が設定されている。そして、第二の混合回路８から出力される第三の中間周波信号は、第三中間周波増幅回路１１、１２で所定の利得を与えられた後バンドパスフィルタ１３、出力増幅回路１４を介して導出され、図示しない混合回路において、他のテレビジョン送信回路から同様に導出された第三の中間周波信号（テレビジョン信号）と混合されて図示しないケ−ブルに送られるようになっている（例えば、特許文献１参照。）。
【０００５】
【特許文献１】特開平１０−３０４２５７号公報（図１）
【発明の開示】
【発明が解決しようとする課題】
【０００６】
出力増幅回路１４から出力されるテレビジョン信号のレベルは、減衰回路２によって一定レベルとなるように設定されているが、その設定後においても、減衰回路２に入力される第一中間周波信号のレベルが変動したり、減衰回路２の故障等によって減衰量が変動すると出力増幅回路の出力レベルが変動する。そのため、他の送信機からのテレビジョン信号との間にレベル差が生じて、ＴＶ受信機で受信する際に歪み信号を発生したり、均一な画像再生ができないという問題がある。
【０００７】
本発明は、出力されるテレビジョン信号のレベルを一定にすると共に、その一定値を越えた場合や、所定レベル以下のときに出力レベルを最小限に低下して上記の歪み発生を防ぎ、また、受信側での画像を均一性を確保することを目的とする。
【課題を解決するための手段】
【０００８】
本発明は、上記課題を解決する手段として、入力された中間周波信号を一定レベルで出力する自動利得制御回路と、前記自動利得制御回路の後段に設けられ、前記中間周波信号を送信用のテレビジョン信号に変換する周波数変換回路と、前記周波数変換回路と出力端子との間に設けられ、前記出力端子に出力する前記テレビジョン信号のレベルを第１の所定レベルに設定する減衰回路とを備え、前記自動利得制御回路又は／及び前記減衰回路をミュート状態又はミュート解除状態に切り替えるためのミュート制御手段を設け、前記出力端子における前記テレビジョン信号のレベルが前記第１の所定レベルよりも高い第１のレベル以上になったときに前記ミュート制御手段からミュート信号を発生して前記自動利得制御回路又は／及び前記減衰回路をミュート状態に切り替えた。
【０００９】
また、前記出力端子における前記テレビジョン信号が前記第１の所定レベルよりも低い第２のレベル以下になったときに前記ミュート制御手段から前記ミュート信号を発生して前記自動利得制御回路又は／及び前記減衰回路をミュート状態に切り替えた。
【００１０】
また、前記自動利得制御回路に入力される前記中間周波信号のレベルが第２の所定レベルより高い第３のレベル以上になったときに前記ミュート制御手段から前記ミュート信号を発生して前記自動利得制御回路又は／及び前記減衰回路をミュート状態に切り替えた。
【００１１】
また、前記自動利得制御回路に入力される前記中間周波信号のレベルが前記第２の所定レベルより低い第４のレベル以下になったときに、前記ミュート制御手段から前記ミュート信号を発生して前記自動利得制御回路又は／及び前記減衰回路をミュート状態に切り替えた。
【００１２】
また、前記自動利得制御回路又は／及び前記減衰回路のミュート状態を前記出力端子における前記テレビジョン信号のレベル変動の如何に関わらず保持した。
【００１３】
また、前記自動利得制御回路又は／及び前記減衰回路のミュート状態を前記自動利得制御回路に入力される前記中間周波信号のレベル変動の如何に関わらず保持した。
【００１４】
また、前記ミュート制御手段は外部からミュート解除指令信号が入力されたときにミュート解除信号を出力し、前記ミュート解除信号によってのみ前記自動利得制御回路又は／及び前記減衰回路のミュート状態をミュート解除状態に切り替えた。
【発明の効果】
【００１５】
請求項１の発明によれば、自動利得制御回路又は／及び減衰回路をミュート状態又はミュート解除状態に切り替えるためのミュート制御手段を設け、出力端子におけるテレビジョン信号のレベルが第１の所定レベルよりも高い第１のレベル以上になったときにミュート制御手段からミュート信号を発生して自動利得制御回路又は／及び減衰回路をミュート状態に切り替えたので、レベルの大きなテレビジョン信号が送出されず、受信側での歪みの発生が押さえられる。
【００１６】
また、請求項２の発明によれば、出力端子における前記テレビジョン信号が第１の所定レベルよりも低い第２のレベル以下になったときにミュート制御手段からミュート信号を発生して自動利得制御回路又は／及び減衰回路をミュート状態に切り替えたので、レベルの低いテレビジョン信号が送出されず、受信側でのＳ／Ｎの悪い画像が避けられる。
【００１７】
また、請求項３の発明によれば、自動利得制御回路に入力される中間周波信号のレベルが第２の所定レベルより高い第３のレベル以上になったときにミュート制御手段からミュート信号を発生して自動利得制御回路又は／及び減衰回路をミュート状態に切り替えたので、送信機内での歪みの発生が押さえられる。
【００１８】
また、請求項４の発明によれば、自動利得制御回路に入力される中間周波信号のレベルが第２の所定レベルより低い第４のレベル以下になったときに、ミュート制御手段からミュート信号を発生して自動利得制御回路又は／及び減衰回路をミュート状態に切り替えたので、Ｓ／Ｎの悪いテレビジョン信号が出力されない。
【００１９】
また、請求項５の発明によれば、自動利得制御回路又は／及び減衰回路のミュート状態を出力端子におけるテレビジョン信号のレベル変動の如何に関わらず保持したので、テレビジョン信号が断続して出力されるのを避けることができる。
【００２０】
また、請求項６の発明によれば、自動利得制御回路又は／及び減衰回路のミュート状態を自動利得制御回路に入力される中間周波信号のレベル変動の如何に関わらず保持したので、テレビジョン信号が断続して出力されるのを避けることができる。
【００２１】
また、請求項７の発明によれば、ミュート制御手段は外部からミュート解除指令信号が入力されたときにミュート解除信号を出力し、ミュート解除信号によってのみ自動利得制御回路又は／及び減衰回路のミュート状態をミュート解除状態に切り替えたので、テレビジョン信号が断続して出力されるのを避けることができるとともに、送信機内の各回路が正常な状態になれば、テレビジョン信号の送信を再開始できる。
【発明を実施するための最良の形態】
【００２２】
図１は、本発明のテレビジョン信号送信機のブロック構成を示すものであり、このテレビジョン信号送信機は、送信すべきチャンネル毎に設けられている。中間周波回路２１は、映像信号Ｖと音声信号Ｓとを含む第１の中間周波信号（レベルは、ほぼ４７ｄＢｍＶであり、このレベルを第２の所定レベルとする。）を出力して次段の自動利得制御回路２２に送る。自動利得制御回路２２は、例えば、ＰＩＮダイオードを使用した可変減衰回路と、可変減衰回路から出力される第１の中間周波信号を検波する検波回路とを有し（何れも図示せず）、検波回路から出力される検波電圧によって可変減衰回路の減衰量を制御する。その制御範囲は６〜７ｄＢである。これによって、自動利得制御回路２２から出力される第１の中間周波信号のレベルは一定となる。
【００２３】
自動利得制御回路２２から出力された第１の中間周波信号は、第１の混合回路２３に入力され、この第１の混合回路２３においては、第１の局部発振回路２４からの発振信号と混合されることによってほぼ１．１ＧＨｚの第２の中間周波信号に周波数変換される。第１の混合回路２３と第１の局部発振回路２４とは第１の周波数変換回路２５を構成する。
【００２４】
第１の混合回路２３からの第２の中間周波信号は、ほぼ６ＭＨｚの通過帯域幅を有するバンドパスフィルタ２６を通過した後に第２中間周波増幅回路２７によって増幅され、次段の第２の混合回路２８に入力される。第２の混合回路２８において、第２の局部発振回路２９からの発振信号と混合されて第３の中間周波信号に周波数変換される。第３の中間周波信号は何れかのチャンネルのテレビジョン信号となる。第２の混合回路２８と第２の局部発振回路２９とによって第２の周波数変換回路３０を構成する。
【００２５】
なお、第３の中間周波信号は、第３中間周波増幅回路３１によって増幅された後、減衰回路３２に入力される。減衰回路３２は可変減衰回路で構成され、その減衰量がレベル設定手段３３によって設定される。減衰回路３２の次段にはバンド選択型のバンドパスフィルタ３４が設けられる。このバンドパスフィルタ３４は通過帯域が互いに異なる複数の個々のバンドパスフィルタが互いに並列接続されたものであり、それぞれのバンドパスフィルタは連続する数チャンネル分のテレビジョン信号を通過する。そして、いずれかのバンドパスフィルタが選択される。バンドパスフィルタ３４の出力側に出力端子３５が設けられ、第３の中間周波信号はこの出力端子３５から送信用のテレビジョン信号として図示しないケ−ブルを介してＣＡＴＶシステムの加入者に送信される。
【００２６】
従って、第３の中間周波信号の周波数は、送信する番組毎に異なり、ほぼ５０ＭＨｚから１ＧＨｚまでの間に設定されている各チャンネルの周波数のいずれかに合わせるように第２の局部発振回路２の発振周波数が設定されている。そして、このテレビジョン信号は、図示しない他のテレビジョン送信機から同様に導出された第三の中間周波信号（テレビジョン信号）と混合されて図示しないケ−ブルに送られるようになっている。
【００２７】
以上の構成において、第１の混合回路２３から第３の中間周波増幅回路３１までの利得や、バンドパスフィルタ３４の挿入損失がばらつくので、出力端子３５から出力されるテレビジョン信号のレベルが所定値（例えば、６０ｄＢｍＶであり、このレベルを第１の所定レベルとする。）となるようにレベル設定手段３３によって減衰回路３２の減衰量を設定する。
【００２８】
また、自動利得制御回路２２に入力される第１の中間周波信号は第２の検波回路３６によって検波され、その検波電圧（第２の検波電圧）はミュート制御手段３７に入力される。さらに、出力端子３５から出力されるテレビジョン信号も第１の検波回路３８によって検波され、その検波電圧（第１の検波電圧）もミュート制御手段３７に入力される。ミュート制御手段３７はマイコンによって構成され、内部には第１の所定レベルよりも高い第１のレベル（例えば、６１ｄＢｍＶ）と第１の所定レベルよりも低い第２のレベル（例えば、５９ｄＢｍＶ）とが記憶され、さらに、第２の所定レベルよりも高い第３のレベル（例えば、４９ｄＢｍＶ）と第２の所定レベルよりも低い第４のレベル（例えば、４５ｄＢｍＶ）とが記憶されている。
【００２９】
そして、ミュート制御手段３７に入力された第１の検波電圧は、前記第１のレベル及び第２のレベルと比較される。そして、このテレビジョン信号送信機内の各回路にアクシデント等が発生して、第１の検波電圧が第１のレベルよりも高くなった場合、あるいは第２のレベルよりも低くなった場合にミュート制御手段３７はミュート信号を発生する。
ミュート制御手段３７に入力された第２の検波電圧は、前記第３のレベル及び第４のレベルと比較される。そして、中間周波回路２１側にアクシデント等が発生して第１の検波電圧が第３のレベルよりも高くなった場合、あるいは第４のレベルよりも低くなった場合にミュート制御手段３７はミュート信号を発生する。
【００３０】
このミュート信号は自動利得制御回路２２又は減衰回路３２に供給される。あるいは、自動利得制御回路２２及び減衰回路３２の双方に供給される。自動利得制御回路２２及び減衰回路３２はミュート信号が入力されると、入力されている信号の出力をストップする。すなわち、ミュート状態に切り替えられる。従って、出力端子３５には一定のレベル範囲（６０ｄＢｍＶ±１ｄＢｍＶ）のテレビジョン信号のみが出力され、その範囲外のレベルのテレビジョン信号は出力されない。従って、受信側での歪み発生が押さえられとともに、良質な画像が得られる。
【００３１】
また、自動利得制御回路２２には、一定のレベル範囲（４７ｄＢｍＶ±２ｄＢｍＶ）の中間周波信号のみが入力され、その範囲外の中間周波信号は入力されない。このことによって、自動利得制御回路２２からは利得制御範囲を越えた中間周波信号が出力されないので、第１の混合回路２３の後段で発生する歪みが押さえられる。また、レベルが低いことによるＳ／Ｎの悪化も避けられる。
【００３２】
上記の自動利得制御回路２２及び減衰回路３２が一旦ミュート状態に切り替えられると、テレビジョン信号のレベルが上記の第１のレベルと第２のレベルとの間に入るように復帰しても、ミュート状態は保持されている。同様に、自動利得制御回路２２に入力されている中間周波信号のレベルが上記の第３のレベルと第４のレベルとの間に入るように復帰しても、ミュート状態が解除されることなくミュート状態は保持されている。そのため、テレビジョン信号が断続して出力されることがない。
【００３３】
このミュート状態の解除はホストマイコンであるミュート解除手段３９によって強制的に行われる。ミュート解除手段３９からはミュート解除指令信号が出力され、それがミュート制御手段３７に供給される。そして、ミュート制御手段３７から自動利得制御回路２２及び減衰回路３２にミュート解除信号が供給されてミュート状態が解除される。
【図面の簡単な説明】
【００３４】
【図１】本発明のテレビジョン信号送信機の構成を示す回路図である。
【図２】従来のテレビジョン信号送信機の構成を示す回路図である。
【符号の説明】
【００３５】
２１：中間周波回路
２２：自動利得制御回路
２３：第１の混合回路
２４：第１の局部発振回路
２５：第１の周波数変換回路
２６：バンドパスフィルタ
２７：第２中間周波増幅回路
２８：第２の混合回路
２９：第２の局部発振回路
３０：第２の周波数変換回路
３１：第３中間周波増幅回路
３２：減衰回路
３３：レベル設定手段
３４：バンドパスフィルタ
３５：出力端子
３６：第２の検波回路
３７：ミュート制御手段
３８：第１の検波回路
３９：ミュート解除手段
【図１】
2005303421.tif 000003
【図２】
2005303421.tif 000004